(57)【要約】 【課題】  部品フィーダーに取り付けられたリール形状の部品パッケージの当該ＩＣタグのデータのみを常時読み取るための部品情報読取装置用アンテナおよび部品パッケージを提供すること。【解決手段】  リール形状の部品パッケージ２を部品フィーダー１に取り付けるための取り付け軸を有する部品情報読取装置用アンテナ３を、部品パッケージ２を取り付けるための取り付け軸部に配置し、アンテナ３の通信面は取り付け軸回転外周方向に向くようにし、部品パッケージ２は非接触ＩＣタグを有し、非接触ＩＣタグは部品パッケージ２の中心穴側面に沿って配置する。【選択図】  図１
2010177389.tif 000002
【特許請求の範囲】
【請求項１】
部品情報読取装置用アンテナであって、リール形状の部品パッケージを部品フィーダーに取り付けるための取り付け軸部に配置し、アンテナの通信面を取り付け軸の回転外周方向に向くようにすることを特徴とする部品情報読取装置用アンテナ。
【請求項２】
前記部品パッケージを前記部品フィーダーに取り付けるための取り付け軸機能を有することを特徴とする請求項１に記載の部品情報読取装置用アンテナ。
【請求項３】
回転機構を有することを特徴とする請求項１ないし２のいずれか１項に記載の部品情報読取装置用アンテナ。
【請求項４】
非接触ＩＣタグを有することを特徴とする部品パッケージ。
【請求項５】
前記非接触ＩＣタグを部品パッケージの中心穴側面に沿って配置することを特徴とする請求項４に記載の部品パッケージ。
【請求項６】
前記非接触ＩＣタグは、部品パッケージに対して着脱可能であることを特徴とする請求項４ないし５のいずれか１項に記載の部品パッケージ。
【発明の詳細な説明】
【技術分野】
【０００１】
本発明は、部品実装機等に用いられる、テーピングされリール形状の部品パッケージに収納された部品を管理するための部品情報読取装置用アンテナおよび部品パッケージに関する。
【背景技術】
【０００２】
近年のエレクトロニクス業界は、薄型デジタルテレビや携帯電話およびデジタルカメラなど、デジタル家電の登場で活況を呈している。このような中、携帯電話やデジタルカメラなどに代表されるモバイル機器では、さらなる高機能化・多機能化と同時に小型化・軽量化が要求され、微小チップ部品の使用が進んでいる。
【０００３】
微小チップ部品は、型番や仕様名を部品に記載することが困難であるため、外観からそれらの仕様、例えばチップコンデンサであれば容量や温度特性および容量公差を判断することは難しい。そのために、微小チップ部品実装時に、指定される部品なのか否かを確認することが必要になっている。
【０００４】
そのような確認作業を行うために、微小チップ部品を収納した部品パッケージに部品情報を書き込んだ非接触ＩＣダグを貼り付け、非接触リーダライタでその部品情報を読み取り管理する部品実装機が提案され、例えば特許文献１に開示されている。
【０００５】
特許文献１に開示される技術は、電子部品の管理をし易くした記憶機能付き電子部品パッケージ及びそれを用いた電子部品の実装方法を提供するもので、その解決手段は、電子部品情報を記録する不揮発性強誘電体メモリを電子部品パッケージに設け、対応する記憶情報読み書き（Ｒ／Ｗ）部により、非接触で電子部品パッケージから所定の情報を読み出し或いは記録することで、部品の管理をしやすくする記憶機能付き電子部品パッケージにあるというものである。電子部品情報としては、電子部品の製造メーカー、製造ロット、部品種、サイズ、残数、及び基板上への部品組み立てのための画像処理用のデータ等が挙げられるとしている。
【先行技術文献】
【特許文献】
【０００６】
【特許文献１】特開２００４−１５０３７号公報
【発明の概要】
【発明が解決しようとする課題】
【０００７】
特許文献１に開示される構成は、より具体的には、部品実装機に装着する実装用の各電子部品が収納されているリール形状の部品パッケージに電子部品情報を収納する非接触ＩＣタグが貼り付けられており、リール形状の部品パッケージを装着する個々の部品フィーダー（カートリッジ）の側面に非接触の部品情報読取装置用アンテナを設置し、部品情報読取装置でＩＣタグの情報を読み取り、何れの部品フィーダーにどのような電子部品が収納されたリールが取り付けられたのかを確認および管理するものである。
【０００８】
しかしながら、特許文献１で説明されている非接触ＩＣタグの貼り付け位置とアンテナの構造では、下記理由から当該部品フィーダーに取り付けられたリール形状の部品パッケージのＩＣタグを特定できないという課題が生じることがある。
【０００９】
まず、部品実装機では、リール形状の部品パッケージを装着した複数の部品フィーダーが隣接して配置される構造になり、それぞれの部品フィーダーの側面にアンテナを配置したのでは、アンテナのＩＣタグとの通信範囲は、隣接して配置される他の部品フィーダー方向にまで広がってしまい、その結果、隣接して配置された他の部品フィーダーに装着した部品パッケージのＩＣタグまで読み取る場合がある。
【００１０】
また、同様に、特許文献１で説明されているＩＣタグの貼り付け位置とアンテナの構造では、部品実装機への部品供給に伴いリール形状の部品パッケージが回転することにより、部品パッケージに貼り付けられたＩＣタグが、アンテナの通信範囲から外れる場合があり、当該ＩＣタグの読み取りができなくなるという課題が生ずることもある。
【００１１】
そこで、本発明は上記の課題に鑑みてなされたものであり、当該部品フィーダーに取り付けられたリール形状の部品パッケージの当該ＩＣタグのデータのみを常時読み取るための部品情報読取装置用アンテナおよび部品パッケージを提供することを目的とする。
【課題を解決するための手段】
【００１２】
請求項１に記載の発明は、部品情報読取装置用アンテナであって、部品パッケージを部品フィーダーに取り付けるための取り付け軸部に配置し、アンテナの通信面は取り付け軸の回転外周方向に向くようにしている。
【００１３】
すなわち、請求項１に記載の発明によれば、アンテナのＩＣタグとの通信範囲が、部品パッケージの中心穴の側面側に向いている部品情報読取装置用アンテナとすることができる。
【００１４】
請求項２に記載の発明は、部品情報読取装置用アンテナであって、リール形状の部品パッケージを部品フィーダーに取り付けるための取り付け軸機能を有するようにしている。
【００１５】
すなわち、請求項２に記載の発明によれば、取り付け軸とアンテナを個々に準備する必要が無く、簡素化した構造の部品情報読取装置用アンテナが得られる。
【００１６】
請求項３に記載の発明は、部品情報読取装置用アンテナであって、リール形状の部品パッケージを部品フィーダーに取り付けるための取り付け軸機能を有するアンテナは、回転機構を有するようにしている。
【００１７】
すなわち、請求項３に記載の発明によれば、部品を供給するためにリール形状の部品パッケージが回転する時にアンテナも回転することで、負荷の少ない部品供給の出来る部品情報読取装置用アンテナが得られる。
【００１８】
請求項４に記載の発明は、部品パッケージであって、非接触ＩＣタグを有するようにしている。
【００１９】
すなわち、請求項４に記載の発明によれば、非接触ＩＣタグに部品情報を書き込んでおくことで、取り付け軸機能を備えたアンテナを用いてＩＣタグに書き込まれた部品情報を読み取りまたは部品情報を書き込みすることが出来る部品パッケージが得られる。
【００２０】
請求項５に記載の発明は、部品パッケージであって、部品パッケージが有する非接触ＩＣタグを部品パッケージの中心穴側面に沿って配置するようにしている。
【００２１】
すなわち、請求項５に記載の発明によれば、ＩＣタグがリール形状の部品パッケージの中心穴側面沿って配置されていることで、請求項１に記載のアンテナの配置により、アンテナの通信範囲には唯一そのＩＣタグのみが常時存在することになり、特定のリール形状の部品パッケージに配置されたそのＩＣタグのみを読み取りできる部品パッケージとすることができる。
【００２２】
請求項６に記載の発明は、部品パッケージであって、部品パッケージが有する非接触ＩＣタグは、部品パッケージに対して着脱可能であり、取り外しおよび交換することが出来るようにしている。
【００２３】
すなわち、請求項６に記載の発明によれば、ＩＣタグが故障または破損しても、故障または破損したＩＣタグを正常動作品に交換することができ、部品を収納したリール形状の部品パッケージを無駄にすることなく利用することができる部品パッケージが得られる。
【発明の効果】
【００２４】
本発明によれば、複数の部品フィーダーを部品実装機に隣接して配置しても、ＩＣタグを着脱可能に取り付けたリール形状の部品パッケージを取り付け軸機能を有する部品情報読取装置用アンテナを用いて部品フィーダーに取り付け、当該部品フィーダーが有するアンテナは、通信面が当該部品フィーダーに対応するＩＣタグ方向に向いており、そのＩＣタグのみを常時読み取るように出来る。
【００２５】
すなわち、隣接配置された他の部品フィーダーの部品情報を読み取ることは無くなり、また、部品実装機へ部品を供給するためにリール形状の部品パッケージが回転しても、常時ＩＣタグの読み取りが出来るため、部品情報読取装置用アンテナおよび部品パッケージの提供が可能となる。
【図面の簡単な説明】
【００２６】
【図１】リール形状の部品パッケージを取り付けた部品フィーダーおよびアンテナを示す概念斜視図。
【図２】アンテナの磁界範囲の概念を示す側面図と正面図。
【図３】アンテナの構造を示す概念斜視図。
【図４】リール形状の部品パッケージの構造を示す概念斜視図。
【図５】ＩＣタグ取り付け部の構造を示す概念斜視図。
【図６】複数の部品フィーダーを隣接配置する概念を示す側面図。
【発明を実施するための形態】
【００２７】
以下、本発明を実施するための形態について、図面を参照しながら詳細に説明する。
【００２８】
図１は、リール形状の部品パッケージ２を取り付けた部品フィーダー１およびアンテナ３を示す概念斜視図である。リール形状の部品パッケージ２には、テープ５にテーピングされた部品４が収納されている。アンテナ３は、部品フィーダー１に部品パッケージ２を取り付けるための取り付け軸機能を有している。ケース１２は、図示しない非接触ＩＣタグを備えるケースを示す。部品実装機用の部品フィーダー１では、図１のように、取り付け軸を用いてリール形状の部品パッケージ２を取り付けるのが一般的である。
【００２９】
図２は、アンテナ３の磁界範囲６の概念を示す側面図と正面図である。アンテナ３の通信面は取り付け軸回転外周方向に向くように取り付けられており、磁界範囲６は、取り付け軸回転外周方向に広がる。この磁界範囲６が取り付け軸機能を備えるアンテナ３の図示しないＩＣタグとの通信範囲になる。
【００３０】
すなわち、アンテナ３の通信面を取り付け軸回転外周方向に向くようにすることで、部品パッケージ２の中心穴の側面方向に通信範囲を向けることが出来る。そのために、側面方向に存在するＩＣタグとの間でのみ通信が可能となり、それ以外の方向に位置するＩＣタグを誤って読み取ることはない。また、アンテナ３は取り付け軸機能を兼ねることで、取り付け軸とアンテナとを、個々に準備し配置する必要が無く、構造的にも簡素化することが可能になる。
【００３１】
アンテナ３の取り付け軸部分は、部品パッケージ２を回転させる図示しない回転軸に嵌合するようになっており、アンテナ３を用いて部品パッケージ２を部品フィーダー１に取り付けることにより、部品パッケージ２に収納される部品４をテープ５によりフィードできるだけでなく、アンテナ３そのものも回転する。
【００３２】
図３は、アンテナの構造を示す概念斜視図である。図示しない回転機能を有する取り付け軸機能を備えたアンテナ３の構造を概念的に示すものである。取り付け軸機能を備えたアンテナ３は、回転板１０に物理的に固定されており、アンテナパターン７が配置されている。このアンテナパターン７はガラスエポキシ基板であるＦＲ−４やＣＥＭ−３（ＦＲ−４、ＣＥＭ−３は、共にプリント基板の基材の規格）のような材料の基板に加工された銅箔で構成されても良いし、銅線を用いて巻き線構造で構成されても良く、その構成については特に限定されない。
【００３３】
アンテナパターン７のターン数およびパターンピッチも特に限定されるものではなく、部品情報読取装置を使用するアプリケーション環境に応じて選択すれば良い。アンテナパターン７の発生磁界への影響を低減するために、アンテナ３のベースには非金属の材料を用いることが望ましい。また、アンテナ３は平面構造ではなく、半円柱状の非金属の材料でアンテナ面の両側から挟み込むようにした円柱状の構造にしても良く、リール形状の部品パッケージ２を取り付けられる構造であれば良く、特に限定されない。
【００３４】
アンテナパターン７は、第１のアンテナ端子８１と第２のアンテナ端子９１を有しており、これらのアンテナ端子は、回転板１０の側面外周に配置した第１の回転板側面端子８２および第２の回転板側面端子９２とそれぞれ電気的に接続されている。
【００３５】
回転板１０の取り付け部には、第１の回転板側面端子８２および第２の回転板側面端子９２と電気的に接続するための図示しないブラシ構造の電極が設けられており、このブラシ構造の電極を介して図示しないリーダライタと接続される。この構造により、アンテナ３が回転してもアンテナパターン７は、リーダライタから電気的に切断されることなく、ＩＣタグとの通信が出来る。回転板１０には、側面に溝を設けるか、また、ガイドを設けて部品フィーダー１からの外れ防止を行うことが望ましい。また負荷の少ない回転構造にするためにベアリング構造などを用いても良い。
【００３６】
図４は、リール形状の部品パッケージの構造を示す概念斜視図である。部品パッケージ２には、テープ５にテーピングされた部品４が収納されている。部品情報を記録した非接触ＩＣタグは、部品パッケージ２の中心穴１１に配置される。ここで、ＩＣタグに記録する部品情報には、１）製品型番、２）メーカー名、３）製造ＬＯＴ、４）在庫期限、５）残数等があるが、特に限定されない。部品情報の記録は、部品メーカーからの出荷時でも良いし、当該部品の受入時でも良いし、当該部品の実装の直前であっても良く、特に限定されない。
【００３７】
ＩＣタグを中心穴１１部に配置したリール形状の部品パッケージ２を、図２に示す磁界範囲６を有しかつ取り付け軸機能を備えたアンテナ３を用いて部品フィーダー１に取り付けることで、ＩＣタグは、常時磁界範囲６内に位置することになる。すなわち、ＩＣタグは、アンテナ３との通信範囲内に常に位置することになり、その読み取りは常時可能となる。また、アンテナ３との通信範囲には、他のリール形状の部品パッケージに配置したＩＣタグは存在せず、唯一当該部品パッケージ２に配置したＩＣタグのみを読み取りできる。
【００３８】
図５は、ＩＣタグ取り付け部の構造を示す概念斜視図である。図１または図４の部品パッケージ２に配置するＩＣタグは、着脱可能なように、ＩＣタグを配置した構造物を部品パッケージ２に組み込む構造であっても良い。ＩＣタグを着脱可能とすることにより、何らかの事情により、当該ＩＣタグに不具合が生じても、正常品と交換することができる。ＩＣチップ１４には、リーダライタと通信するためのＩＣタグ用アンテナ１５が接続されており、それらはシート１３に配置された物で良い。ＩＣチップ１４およびＩＣタグ用アンテナ１５が配置されたシート１３は円柱状のケース１２に貼り付けるか、またはケース１２の内部に埋め込まれた構造でも良い。
【００３９】
図６は、複数の部品フィーダーを隣接配置する概念を示す側面図である。リール形状の部品パッケージ２を取り付けた部品フィーダー１をｎ個（ｎは自然数）隣接配置した時の概念を示している。それぞれの磁界範囲６は、図示するように、隣接する他の部品フィーダー１のいずれかの部品パッケージ２まで及ぶものではなく、当該部品フィーダー１の部品パッケージ２の中心穴近傍にのみ広がるものである。磁界範囲６は、ＩＣタグとの通信範囲に一致するので、結局、他の部品パッケージ２のＩＣタグとの通信はできないことになる。
【００４０】
よって、本発明によれば、隣接配置された他の部品フィーダー１の部品情報を読み取ることは無く、また、部品パッケージ２が回転してもアンテナ３とＩＣタグの位置関係は変わらないので、常時ＩＣタグの読み取りができ、確実な部品管理が可能となる。
【産業上の利用可能性】
【００４１】
本発明は、部品実装機用の部品フィーダーに限定するものではなく、テーピングされてリール形状の部品パッケージに収納された部品の管理であれば何にでも利用できるものであり、例えばリール形状の部品パッケージに収納された部品の数量カウンター装置や在庫管理にも有効である。
【符号の説明】
【００４２】
１    部品フィーダー   
２    部品パッケージ
３    アンテナ   
４    部品
５    テープ     
６    磁界範囲
７    アンテナパターン   
８１    第１のアンテナ端子
８２ 第１の回転板側面端子   
９１ 第２のアンテナ端子
９２ 第２の回転板側面端子   
１０ 回転板
１１ 中心穴     
１２ ケース
１３   シート     
１４ ＩＣチップ
１５ ＩＣタグ用アンテナ
【図１】
2010177389.tif 000003
【図２】
2010177389.tif 000004
【図３】
2010177389.tif 000005
【図４】
2010177389.tif 000006
【図５】
2010177389.tif 000007
【図６】
2010177389.tif 000008